(57)【要約】【課題】録画予約を行うときに、合わせて防犯のための各種外部機器のオン、オフ制御のスケジュールの設定を可能とすることで、防犯機能の使い勝手の向上を図る。【解決手段】制御部１は、録画番組の予約時、録画予約画面において録画予約された番組を録画するときに、テレビジョン受信装置３０の電源をオンするか否かを合わせて設定する防犯設定機能を備えており、この防犯設定機能により電源オンが設定されている場合には、録画予約されている番組の録画中、ＨＤＭＩケーブル４０を介してテレビジョン受信装置３０の電源をオンする。【選択図】図１
2009064083.tif 000002
【特許請求の範囲】
【請求項１】
外部接続端子に接続されたテレビジョン受信装置の動作制御可能なインターフェース手段と、番組の録画予約を制御する制御手段とを備えた情報記録再生装置において、
録画番組の予約時、録画予約画面において録画予約された番組を録画するときに、前記テレビジョン受信装置の電源をオンするか否かを合わせて設定する防犯設定手段を備えており、
前記制御手段は、前記防犯設定手段により電源オンが設定されている場合には、録画予約されている番組の録画中、前記インターフェース手段を介して前記テレビジョン受信装置の電源をオンすることを特徴とする情報記録再生装置。
【請求項２】
前記インターフェース手段が、ＨＤＭＩ（High Definition Multimedia Interface）対応のインターフェース回路であり、前記外部接続端子がＨＤＭＩ端子であることを特徴とする請求項１に記載の情報記録再生装置。
【請求項３】
前記防犯設定手段は、前記電源オンが設定されている場合において、録画予約された番組を記録媒体に実際に記録するか否かを選択させる選択手段をさらに備えており、
前記制御手段は、前記選択手段にて記録否が選択されている場合には、録画予約された番組の放送時間に合わせて前記テレビジョン受信装置の電源をオンする制御のみを実行し、実際の録画動作は行わないことを特徴とする請求項１または請求項２に記載の情報記録再生装置。
【請求項４】
外部機器へのリモコン送信手段をさらに備えており、
前記制御手段は、前記録画予約されている番組の録画動作に合わせて前記リモコン送信手段により前記外部機器のオン制御を行うことを特徴とする請求項１ないし請求項３のいずれか１項に記載の情報記録再生装置。
【請求項５】
前記リモコン送信手段がＩＲブラスターを含み、このＩＲブラスターにより前記外部機器に電源オン信号を送信し、前記外部機器がリモコンによる電源のオン、オフが可能な照明機器であることを特徴とする請求項４に記載の情報記録再生装置。
【請求項６】
前記制御手段は、録画予約された番組の放送時間に合わせて前記テレビジョン受信装置の電源をオンする制御のみを実施し、実際の録画動作を行わない場合において、記録媒体が装填されている場合には、電源オン後の前記テレビジョン受信装置を外部入力モードに切り換えた後、装填されている前記記録媒体の再生を行うことを特徴とする請求項３ないし請求項５のいずれか１項に記載の情報記録再生装置。
【発明の詳細な説明】
【技術分野】
【０００１】
本発明は、ＨＤＭＩ（High Definition Multimedia Interface）規格に準拠したＨＤＭＩ端子や、ＩＲブラスター（送信部付き延長ケーブル）といった外部機器へのリモコン送信機能を備えた情報記録再生装置に係り、より詳細には、これらの機能を用いて不在時の防犯効果を高めた情報記録再生装置に関する。
【背景技術】
【０００２】
従来から、テレビジョン受信装置の電源のオン、オフや、照明機器の点灯、消灯を自動的に制御することで、自宅が不在であるときの不審者の侵入を防止する工夫が種々提案されている。
【０００３】
例えば、特許文献１に記載のリモートコントローラは、テレビジョン受信装置をオンとオフに交互に繰り返させる制御信号をテレビジョン受信装置に送信するオン、オフ制御手段を備え、かつ、オン、オフの切り換えにおいて隣り合うオフ状態のオフ時間長さが相違するように設定されている。
【０００４】
また、特許文献２に記載の留守番装置は、リモコン照明機器とテレビジョン受信装置の操作コードを記憶する記憶部と、リモコン照明機器とテレビジョン受信装置の操作タイミングを知らせるタイミング信号を出力する自動トリガ部と、自動トリガ部が出力したタイミング信号が入力されると記憶部に記憶していた操作コードを出力する制御部と、制御部が出力した操作コードが入力されると対応するリモコン照明機器またはオーディオ器具の遠隔操作信号を出力する遠隔操作部とからなり、自動トリガ部は、明暗センサとランダムタイマとスケジュール手段とによって不規則にタイミング信号を出力するようになっている。この場合、スケジュール手段には予め設定された３種類のスケジュールパターンが格納されており、そのパターンの中からいずれかのパターンを選択するようになっている。
【０００５】
また、特許文献３に記載の侵入防止システムは、予め定めた制御対象のテレビジョン受信装置や音響機器に予め定めた動作をエントリとして時刻に対し設定するスケジュールを備えており、不在モードが指定されたとき時刻に対しスケジュールのエントリを検索し、検索したテレビジョン受信装置や音響機器に制御信号を送信する構成となっている。
【特許文献１】特開２００６−１５７５５２号公報
【特許文献２】特開２００４−０６２４５６号公報
【特許文献３】特開２００２−２４７６５９号公報
【発明の開示】
【発明が解決しようとする課題】
【０００６】
特許文献１記載のものは、テレビジョン受信装置のオン、オフタイミングに変化を持たせることによって、オン、オフが単調な変化にならないように工夫されている。しかし、オン、オフのタイミングをユーザが自由に設定変更することができないため、結局はオン、オフタイミングがある程度パターン化されてしまうといった問題があった。また、特許文献１記載のものは、防犯機能を持たせた専用のリモートコントローラが必要であり、例えばＤＶＤレコーダのリモコンを兼用するといったことができない構成となっている。
【０００７】
また、特許文献２記載のものは、明暗センサとランダムタイマとスケジュール手段とによって不規則にタイミング信号を出力するものであるが、上記したようにスケジュールパターンは予め設定された３種類の中から選択するものであり、ユーザがパターンを自由に設定変更することができないといった問題があった。また、特許文献２記載のものは、防犯機能を持たせた専用の留守番装置であり、例えば、ＤＶＤレコーダの録画予約機能を用いてスケジュールを設定できれば便利であるが、そのようなことは全く考慮されていない。
【０００８】
また、特許文献３記載のものは、スケジュールをユーザが手動操作によって任意に設定できるようになっているが、どのようにして設定するのかについては何も記載されていない。そのため、ユーザは、この侵入防犯システムに特有の設定手順を理解した上で設定を行う必要があり、操作的には煩わしい操作にならざるを得ないといった問題があった。例えば、ＤＶＤレコーダ等の録画予約機能を用いてスケジュールを設定できれば便利であるが、そのようなことは全く考慮されていない。
【０００９】
近年、液晶パネル製造技術の進歩によって、ＤＶＤレコーダやハードディスク（ＨＤ）内蔵型ＤＶＤレコーダなどの情報記録再生装置に用いるテレビジョン受信装置の表示画面の高精細化が進んでおり、このようなテレビジョン受信装置や情報記録再生装置では、非常に多くのビデオデータ及びオーディオデータを送受信するため、ＨＤＭＩ（High Definition Multimedia Interface）対応のインターフェース回路が用いられている。
【００１０】
ＨＤＭＩは、ＤＶＤレコーダやＨＤ内蔵型ＤＶＤレコーダなどの送信機器側とテレビジョン受信装置やプロジェクタなどの受信機器側との間でビデオデータ及びオーディオデータを含む各種データを送受信するためのインターフェースであり、ＨＤＭＩのＣＥＣ制御機能により、例えば情報記録再生装置側からテレビジョン受信装置等の電源をオンするといった操作が可能である。
【００１１】
また、最近では、外部へのリモコン信号送信機能を備えたＩＲブラスターなども提供されており、このＩＲブラスターを利用して、ＤＶＤレコーダ等からリモコン機能を有する照明機器などのオン、オフ制御が可能である。
【００１２】
本発明は、ＤＶＤレコーダやＨＤ内蔵型ＤＶＤレコーダなどの情報記録再生装置の録画予約機能と、ＨＤＭＩのＣＥＣ制御機能やＩＲブラスターによる制御機能とに着目して上記問題点を解決すべく創案されたもので、その目的は、録画予約を行うときに、合わせて防犯のための各種外部機器のオン、オフ制御のスケジュールの設定を可能とすることで、ユーザの使い勝手の向上を図った情報記録再生装置を提供することにある。
【課題を解決するための手段】
【００１３】
上記課題を解決するため、本発明の情報記録再生装置は、外部接続端子に接続されたテレビジョン受信装置の動作制御可能なインターフェース手段と、番組の録画予約を制御する制御手段とを備えた情報記録再生装置において、録画番組の予約時、録画予約画面において録画予約された番組を録画するときに、前記テレビジョン受信装置の電源をオンするか否かを合わせて設定する防犯設定手段を備えており、前記制御手段は、前記防犯設定手段により電源オンが設定されている場合には、録画予約されている番組の録画中、前記インターフェース手段を介して前記テレビジョン受信装置の電源をオンすることを特徴としている。ここで、前記インターフェース手段は、ＨＤＭＩ（High Definition Multimedia Interface）対応のインターフェース回路であり、前記外部接続端子はＨＤＭＩ端子である。
【００１４】
このような構成とすれば、ユーザは、例えば不在時に放送される番組を録画予約するときに、その番組の録画時にテレビジョン受信装置の電源をオンするか否かを合わせて（続けて）設定できるので、防犯のためだけにわざわざテレビジョン受信装置の電源のオン、オフを設定する必要がないため、防犯を特に意識しなくても自然に防犯設定を行うことができるといった利点がある。
【００１５】
この場合、前記防犯設定手段は、前記電源オンが設定されている場合において、録画予約された番組を記録媒体に実際に記録するか否かを選択させる選択手段をさらに備えており、前記制御手段は、前記選択手段にて記録否が選択されている場合には、録画予約された番組の放送時間に合わせて前記テレビジョン受信装置の電源をオンする制御のみを実施し、実際の録画動作は行わない構成とすることができる。
【００１６】
例えば、１日中外出しているような場合に、目的とする番組のみを録画予約したのでは、その番組の録画中以外の長時間の間、テレビジョン受信装置の電源がオフされていることになる。そのため、ユーザは、録画予約時に防犯を意識して、本来の目的の録画予約とは別に、防犯用に特に録画する必要のない番組を意識的に録画予約する場合が考えられる。この場合、全ての番組を記録媒体に録画（記録）し、帰宅後に不要な番組を消去することも可能であるが、これではユーザの不要な手間を増やすことになる。そのため、本発明では、このように防犯を意識して録画予約を行った場合に、その番組の実際の録画動作は行わないようにユーザが選択できる機能を追加している。これにより、録画予約を行っても、あくまで防犯用にテレビジョン受信装置の電源をオンする機能だけを実行させることができるので、記録媒体への無駄な録画（記録）を防止することができる。
【００１７】
また、本発明では、外部機器へのリモコン送信手段をさらに備えており、前記制御手段は、前記録画予約されている番組の録画動作に合わせて前記リモコン送信手段により前記外部機器のオン制御を行う構成としてもよい。ここで、前記リモコン送信手段はＩＲブラスターを含み、このＩＲブラスターにより外部機器に電源オン信号を送信する構成とする。一方、リモコンによる電源のオン、オフが可能な外部機器として例えばリモコン機能付きの照明機器を例示することができる。すなわち、テレビジョン受信装置の電源オンに加えて、照明機器の電源をオンすることで、特に夕方以降の防犯に効果的である。
【００１８】
また、本発明では記録媒体の再生が可能な情報記録再生装置である点に着目し、前記制御手段は、録画予約された番組の放送時間に合わせて前記テレビジョン受信装置の電源をオンする制御のみを実施し、実際の録画動作を行わない場合において、記録媒体が装填されている場合には、電源オン後の前記テレビジョン受信装置を外部入力モードに切り換えた後、装填されている前記記録媒体の再生を行う構成としてもよい。この場合、例えば記録媒体には、家族の日常の様子を記録しておくことが考えられる。そして、この家族の日常を再生してテレビジョン受信装置から出力することで、あたかも住人がそこに居るような臨場感を再現することができ、防犯効果をより高めることが可能となる。
【発明の効果】
【００１９】
本発明の情報記録再生装置によれば、不在時に放送される番組を録画予約するときに、その番組の録画時にテレビジョン受信装置の電源をオンするか否かを合わせて設定できるので、防犯のためだけにわざわざテレビジョン受信装置の電源のオン、オフを設定する必要がないため、防犯を特に意識しなくても自然に防犯設定を行うことができる。
【００２０】
また、録画予約された番組の放送時間に合わせてテレビジョン受信装置の電源をオンし、装填されている記録媒体の再生を開始することで、例えば記録媒体に家族の日常の様子が記録されている場合には、あたかも住人がそこに居るような臨場感を再現することができ、防犯効果をより高めることができる。
【発明を実施するための最良の形態】
【００２１】
以下、本発明の実施の形態について、図面を参照して説明する。
【００２２】
図１は、本発明の情報記録再生装置をＨＤ内蔵型ＤＶＤレコーダに適用した場合の電気的構成を示す機能ブロック図である。ただし、本発明の情報再生装置は、単なるＨＤレコーダにも適用可能である。
【００２３】
本実施形態のＨＤ内蔵型ＤＶＤレコーダは、制御部１、番組等のデジタル信号（放送データ）を受信するアンテナ２に接続されたチューナ３、信号処理部４、外部記録媒体であるＤＶＤ（Digital Versatile Disk）２０の着脱が可能なディスク読書部５、リモコン１５からのコントロール信号を受信するリモコン受信部６、表示部７、操作部８、内蔵の記録媒体であるハードディスク（ＨＤ）９からなり、ＨＤＭＩ規格に準拠したデジタルビデオ信号の入出力端子であるＨＤＭＩ端子４ａを備え、ＨＤＭＩ規格に準拠したテレビジョン受信装置３０のＨＤＭＩ端子３０ａとＨＤＭＩケーブル４０を介して接続可能な構成となっている。また、本実施形態のＨＤ内蔵型ＤＶＤレコーダは、赤外線によるリモコン信号の送信が可能なＩＲブラスター（送信部付き延長ケーブル）５０を備えており、外部機器７０に対してオン、オフのリモコン信号が送信可能な構成となっている。ここで、本実施形態では、外部機器７０としてリモコン制御機能を有する照明機器とし、この照明機器７０のオン、オフのリモコン信号（制御信号）は、例えば周知のリモコンによる学習機能等により、予め格納されているものとする。
【００２４】
制御部１は、ＣＰＵ１ａ、メモリ部１ｂ、及びタイマー部１ｃから構成されている。メモリ部１ｂは、本コレーダの各種動作プログラムが格納されたＲＯＭ、動作時には種々のデータの一時保存やワークエリアとして働くＲＡＭ、及び上記した照明機器７０のオン、オフ制御信号を格納する不揮発性メモリ（例えば、ＥＥＰＲＯＭやフラッシュメモリ）等からなる。また、ＲＯＭには、本レコーダがＨＤＭＩケーブル４０を介してテレビジョン受信装置３０と接続された場合に、テレビジョン受信装置３０との接続設定（映像及び音声の設定等）を行うための処理プログラムや、後述する防犯機能を実行するための処理プログラムも格納されている。タイマー部１ｃは、録画予約等による所定時間の計測を行う。
【００２５】
チューナ３は、アンテナ２で受信した放送信号から映像を含んだデジタル信号を抽出する。信号処理部４は、デジタルの信号処理回路から構成されている。この信号処理部４は、チューナ３から入力されるデジタル信号をテレビジョン受信装置３０に出力したり、ディスク読書部５や制御部１に出力する。
【００２６】
ディスク読書部５は、ピックアップやピックアップ駆動回路やディスク駆動回路等から構成されている。このディスク読書部５は、信号処理部４から出力されるデータを記録媒体であるＤＶＤ２０に記録したり、ＤＶＤ２０に記録されているデータを読み込んで信号処理部４に出力したりする。信号処理部４は、ディスク読書部５から出力されるＤＶＤ２０のデータを再生してテレビジョン受信装置３０に出力する。また、信号処理部４は、ＯＳＤ回路を備えており、制御部１からの制御により、テレビジョン受信装置３０のモニタにメニュー画面等の表示を行うようになっている。テレビジョン受信装置３０は信号処理部４から出力されるデジタル信号に基づいてＣＲＴ等のモニタに映像を映し出し、スピーカから音声を出力する。
【００２７】
表示部７は、現在時刻を含む各種時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００２８】
リモコン１５と操作部８には、図示は省略しているが、電源キーをはじめ、再生、録画、早送り、巻戻し、及び停止といった本レコーダの動作を指示するために操作するキーが設けられている。また、録画予約（タイマー録画）を設定するための録画予約キー等も設けられている。
【００２９】
制御部１は、例えばリモコン１５の電源キーがオンされ、記録媒体として例えば内蔵のハードディスク９が選択されて、録画キーが操作されると、外部からアンテナ２とチューナ３を通じて入力され、信号処理部４で圧縮処理された番組情報のデータを、ハードディスク９に記録する。また、制御部１は、リモコン１５の録画キーが操作されたり、予め設定された録画予約の録画開始時刻になると、チューナ３によって受信され、信号処理部４で圧縮処理された番組情報のデータを、ハードディスク９に記録して保存する。
【００３０】
さらに、制御部１は、録画番組の予約時、録画予約画面において録画予約された番組を録画するときに、テレビジョン受信装置３０の電源をオンするか否かを合わせて設定する防犯設定機能を備えており、この防犯設定機能により電源オンが設定されている場合には、録画予約されている番組の録画中、テレビジョン受信装置３０の電源をオンする制御を行うようになっている。以下、この録画予約時に合わせて行う防犯設定機能の処理動作について、具体的に実施例を挙げて説明する。
【００３１】
＜実施例１＞
本実施例１は、録画番組の予約時に、テレビジョン受信装置３０の電源をオンするか否かを合わせて設定する実施例である。以下、図２に示す設定画面例を参照して説明する。
【００３２】
ユーザは、リモコン１５の図示しない録画予約キーを操作すると、この操作信号を受け取った制御部１は、テレビジョン受信装置３０の表示画面に録画予約画面（図示省略）を表示する。ユーザは、この録画予約画面に従って録画予約の詳細を設定するのであるが、この詳細設定の方法は周知の方法であるため、ここでは詳細な説明を省略する。ここで、ユーザが、例えば本日（２００７年８月３１日（金曜日））の午後７時から午後９時まで２チャンネルで放送されている番組１の録画予約を設定したとすると、例えば図２に示す録画予約設定確認画面が表示される。
【００３３】
本実施例１では、このときにこの録画予約設定確認画面の下に、防犯設定画面を合わせて表示する。ただし、録画予約が複数の番組について行われたときには、この録画予約設定確認画面には複数の番組の録画予約内容が表示される。
【００３４】
防犯設定画面では、上記で録画予約された番組を録画するときに、テレビジョン受信装置３０の電源をオンするか否かを選択できるようになっている。この例では、画面右にＯＮのチェック窓とＯＦＦのチェック窓とが用意されているので、ユーザは、リモコン１５の操作によっていずれかのチェック窓にチェックを入れる。ここでは、ＯＮのチェック窓にチェック（図２中、黒塗りで示す）が入れられたものとする。
【００３５】
画面下には、録画予約の設定をやり直すために前の画面に戻るための「戻る」ボタンと、今までの設定を全て解除するための「キャンセル」ボタンと、録画予約及び防犯設定を完了させるための「決定」ボタンとが表示されている。従って、ユーザは、表示されている内容で良い場合には、画面右下の「決定」ボタンを操作する。これにより、番組の録画予約と録画中の電源オン情報とがメモリ部１ｂの例えばフラッシュメモリ等に格納されることになる。
【００３６】
この後、ユーザが、テレビジョン受信装置３０の電源をオフし、ＨＤ内蔵型ＤＶＤレコーダの電源もオフして外出する。ＨＤ内蔵型ＤＶＤレコーダの制御部１は、録画予約の内容に基づき、レコーダ内部の図示しない時計部を監視して現在時刻を監視し、現在時刻が録画予約された番組１の放送開始時刻の少し前（例えば、１分前の午後６時５９分等）になると、ＨＤ内蔵型ＤＶＤレコーダの電源をオンし、番組１の録画準備を行う。そして、番組１の放送開始時刻（午後７時）になると、ハードディスク９に番組１の録画を開始する。
【００３７】
このとき、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンし、電源オフ時に設定されていたチャンネルの映像及び音声を出力する。これにより、番組１の録画中は、テレビジョン受信装置３０から常に映像と音声が出力されることになる。なお、番組１の録画を終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。
【００３８】
なお、複数番組について録画予約が行われている場合には、制御部１は、それぞれの録画予約の開始時刻になると、ＨＤＭＩケーブル４０を介してテレビジョン受信装置３０に電源オンを示す信号（ＣＥＣコマンド）を送信し、それぞれの録画予約の終了時刻になると、ＨＤＭＩケーブル４０を介してテレビジョン受信装置３０に電源オフを示す信号（ＣＥＣコマンド）を送信する。
【００３９】
本実施例１によれば、録画番組を予約することで、その録画予約された番組の放送開始時刻をテレビジョン受信装置３０の電源オン時刻とし、放送終了時刻をテレビジョン受信装置３０の電源オフ時刻として設定することができる。
【００４０】
＜実施例２＞
本実施例２は、録画番組の予約時に、テレビジョン受信装置３０の電源をオンするか否かを合わせて設定するとともに、電源オンが設定されている場合において、さらに、録画予約された番組を記録媒体に実際に記録するか否かをユーザに選択させる実施例である。
【００４１】
上記実施例１では、例えば朝から夜遅くまで１日中外出しているような場合に、目的とする番組のみを録画予約したのでは、その番組の録画中以外の長時間の間、テレビジョン受信装置３０の電源がオフされていることになる。そのため、ユーザは、録画予約時に防犯を意識して、本来の目的の録画予約とは別に、特には録画する必要のない番組を防犯用に意識的に録画予約する場合が考えられる。この場合、全ての番組を例えばハードディスク９に記録（録画）し、帰宅後に不要な番組を消去することも可能であるが、これではユーザの不要な手間を増やすことになる。そのため、本実施例２では、このように防犯を意識して録画予約を行った場合に、その番組の実際の録画動作は行わないようにユーザが選択できる機能を追加したものである。
【００４２】
以下、図３に示す設定画面例を参照して、本実施例２の防犯設定処理動作を説明する。
【００４３】
ユーザは、リモコン１５の図示しない録画予約キーを操作すると、この操作信号を受け取った制御部１は、テレビジョン受信装置３０の表示画面に録画予約画面（図示省略）を表示する。ユーザは、この録画予約画面に従って録画予約の詳細を設定するのであるが、この詳細設定の方法は種々の手法があるため、ここでは詳細な説明を省略する。ここで、ユーザが、防犯用として例えば本日（２００７年８月３１日（金曜日））の午後６時から６時３０分まで４チャンネルで放送される番組１１の録画予約を設定し、本当に録画したい番組として本日（２００７年８月３１日（金曜日）の午後７時から午後９時まで２チャンネルで放送される番組１２の録画予約を設定し、さらに防犯用として本日（２００７年８月３１日（金曜日））の午後１０時から１１時まで８チャンネルで放送される番組１３の録画予約を設定したとすると、図３に示す録画予約設定確認画面が表示される。
【００４４】
本実施例２では、このときにこの録画予約設定確認画面の右横に、録画予約された番組を実際に録画するか否かをユーザに選択させる選択画面を合わせて表示する。この例では、各録画予約番組の右横に、実際に録画するか否かをユーザが選択するための、Ｙｅｓのチェック窓とＮｏのチェック窓とが用意されている。従って、ユーザは、リモコン１５を操作して画面上のカーソルを任意の予約番組のＹｅｓまたはＮｏのチェック窓まで移動し、その状態でリモコンの図示しない決定キーを操作する。これにより、チェック窓にチェック（図３では、チェックされた方を黒塗りで示している。）が入るようになっている。ユーザは、この操作を、全ての録画予約番組１１〜１３について順次行う。
【００４５】
この例では、上記したように、番組１１と番組１３とが防犯用の録画予約であるので、ユーザは、これに対応する選択画面のところには、Ｎｏのチェック窓にチェック（黒塗り）が入っている。一方、実際に録画予約を希望する録画予約番組１２に対応する選択画面のところには、Ｙｅｓのチェック窓にチェック（黒塗り）が入っている。
【００４６】
さらに、本実施例２では、この録画予約設定確認画面の下に、防犯設定画面を合わせて表示する。
【００４７】
防犯設定画面では、上記で録画予約された番組を録画（ただし、防犯用は疑似録画）するときに、テレビジョン受信装置３０の電源をオンするか否かを選択できるようになっている。この例では、画面右にＯＮのチェック窓とＯＦＦのチェック窓とが用意されているので、ユーザは、リモコン１５の操作によっていずれかのチェック窓にチェックを入れる。ここでは、ＯＮのチェック窓にチェック（黒塗り）が入れられたものとする。
【００４８】
画面下には、録画予約の設定をやり直すために前の画面に戻るための「戻る」ボタンと、今までの設定を全て解除するための「キャンセル」ボタンと、録画予約及び防犯設定を完了させるための「決定」ボタンとが表示されている。従って、ユーザは、表示されている内容で良い場合には、画面右下の「決定」ボタンを操作する。これにより、番組の録画予約と、録画動作の有無と、録画中（疑似録画中も含む）の電源オン情報とがメモリ部１ｂの例えばフラッシュメモリ等に格納されることになる。
【００４９】
この後、ユーザが、テレビジョン受信装置３０の電源をオフし、ＨＤ内蔵型ＤＶＤレコーダの電源もオフして外出する。ＨＤ内蔵型ＤＶＤレコーダの制御部１は、録画予約の内容に基づき、レコーダ内部の図示しない時計部を監視して現在時刻を監視し、現在時刻が録画予約された番組１１の放送開始時刻の少し前（例えば、１分前の午後６時５９分等）になると、ＨＤ内蔵型ＤＶＤレコーダの電源をオンする。次に、メモリ部１ｂに格納されている当該予約番組１１の録画を実行するか否かの情報を確認する。この場合には、Ｎｏの情報が格納されているので、制御部１は、番組１１の録画開始時刻になっても録画は行わず、そのまま停止状態を維持する（上記の疑似録画に相当する）。
【００５０】
一方、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンし、電源オフ時に設定されていたチャンネルの映像及び音声を出力する。これにより、番組１１の放送中（疑似録画中）は、テレビジョン受信装置３０から常に映像と音声が出力されることになる。なお、番組１１の放送時間が終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。
【００５１】
次に、制御部１は、録画予約の内容に基づき、レコーダ内部の図示しない時計部を監視して現在時刻を監視し、現在時刻が録画予約された番組１２の放送開始時刻の少し前（例えば、１分前の午後６時５９分等）になると、ＨＤ内蔵型ＤＶＤレコーダの電源を再びオンし、メモリ部１ｂに格納されている当該予約番組１２の録画を実行するか否かの情報を確認する。この場合には、Ｙｅｓの情報が格納されているので、制御部１は、番組１２の放送開始時刻（午後７時）になると、ハードディスク９に番組１２の録画を開始する。
【００５２】
このとき、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンし、電源オフ時に設定されていたチャンネルの映像及び音声を出力する。これにより、番組１２の録画中は、テレビジョン受信装置３０から常に映像と音声が出力されることになる。なお、番組１の録画を終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。
【００５３】
次に制御部１は、録画予約の内容に基づき、レコーダ内部の図示しない時計部を監視して現在時刻を監視し、現在時刻が録画予約された番組１３の放送開始時刻の少し前（例えば、１分前の午後９時５９分等）になると、ＨＤ内蔵型ＤＶＤレコーダの電源をオンする。次に、メモリ部１ｂに格納されている当該予約番組１３の録画を実行するか否かの情報を確認する。この場合には、Ｎｏの情報が格納されているので、制御部１は、番組１３の録画開始時刻になっても録画は行わず、そのまま停止状態を維持する（上記の疑似録画に相当する）。
【００５４】
一方、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンし、電源オフ時に設定されていたチャンネルの映像及び音声を出力する。これにより、番組１３の放送中（疑似録画中）は、テレビジョン受信装置３０から常に映像と音声が出力されることになる。なお、番組１３の放送時間が終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。
【００５５】
本実施例２によれば、録画番組を予約することで、その録画予約された番組の放送開始時刻をテレビジョン受信装置３０の電源オン時刻とし、放送終了時刻をテレビジョン受信装置３０の電源オフ時刻として設定することができる。また、防犯用に録画予約を行った場合には、実際に録画を行うことなく、あくまで防犯用にテレビジョン受信装置の電源をオンする機能だけを実行させることができるので、ハードディスク９への無駄な記録（録画）を防止することができるものである。
【００５６】
＜実施例３＞
本実施例３は、上記実施例１または実施例２に加え、照明機器７０も合わせてオン、オフ制御する実施例である。なお、本実施例３は、上記実施例１または実施例２の防犯設定画面においてテレビジョン受信装置３０の電源ＯＮが設定された場合に、この設定を照明機器の電源ＯＮ設定として取り扱うことによって実現することができる。従って、ここでは、防犯設定処理の説明を省略し、録画予約による処理動作について説明する。また、ここでは、上記実施例１に対応した処理動作についてのみ説明するが、上記実施例２に対応した処理動作も同様に行うことができる。
【００５７】
ＨＤ内蔵型ＤＶＤレコーダの制御部１は、録画予約の内容に基づき、レコーダ内部の図示しない時計部を監視して現在時刻を監視し、現在時刻が録画予約された番組１の放送開始時刻の少し前（例えば、１分前の午後６時５９分等）になると、ＨＤ内蔵型ＤＶＤレコーダの電源をオンし、番組１の録画準備を行う。そして、番組１の放送開始時刻（午後７時）になると、ハードディスク９に番組１の録画を開始する。
【００５８】
このとき、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンし、電源オフ時に設定されていたチャンネルの映像及び音声を出力する。これにより、番組１の録画中は、テレビジョン受信装置３０から常に映像と音声が出力されることになる。
【００５９】
さらに、制御部１は、テレビジョン受信装置３０の電源をオンする情報がメモリ部１ｂに格納されていることを確認すると、電源オンを示すリモコン信号をＩＲプラスター５０からリモコン機能付きの照明機器７０に対して送信する。照明機器７０の図示しない制御部は、この電源オン信号を受信すると、照明機器７０の電源をオンして点灯する。これにより、例えばリビングの照明が点灯し、テレビジョン受信装置３０から映像と音声が出力されることになる。
【００６０】
なお、番組１の録画を終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。
【００６１】
また、制御部１は、電源オフを示すリモコン信号をＩＲプラスター５０からリモコン機能付きの照明機器７０に対して送信する。照明機器７０の図示しない制御部は、この電源オフ信号を受信すると、照明機器７０の電源をオフして消灯する。
【００６２】
ただし、照明機器７０については、そのまま点灯状態を維持するようにしてもよい。また、上記実施例２の場合、番組１１と番組１２との間の時間が短い場合（例えば、１時間以内の場合）には、照明機器７０をそのまま点灯状態として、番組１１の最初から番組１２の最後まで続けて照明機器７０を点灯するようにしてもよい。その方が、実際に住人が在宅している状況により近い状態での制御となる。
【００６３】
本実施例３によれば、録画番組を予約することで、その録画予約された番組の放送開始時刻をテレビジョン受信装置３０及び照明機器７０の電源オン時刻とし、放送終了時刻をテレビジョン受信装置３０及び照明機器７０の電源オフ時刻として設定することができる。このように、テレビジョン受信装置３０の電源オンに加えて、照明機器７０の電源もオンすることで、特に夕方以降の防犯に効果的である。
【００６４】
＜実施例４＞
本実施例４は、テレビジョン受信装置３０の電源をオンしたときに、受信番組の映像や音声を出力するのではなく、ＨＤ内蔵型ＤＶＤレコーダに装填されているＤＶＤ２０の再生映像及び再生音声をテレビジョン受信装置３０から出力するようにした実施例である。この場合、ＨＤ内蔵型ＤＶＤレコーダが録画動作と再生動作を同時に制御可能である場合には、上記実施例２のように実際に録画するか否かに係わらず、テレビジョン受信装置３０の電源オン時には常にＤＶＤ２０の再生映像及び再生音声をテレビジョン受信装置３０から出力するように構成することができる。なお、ここでは、上記実施例１に対応した処理動作についてのみ説明するが、上記実施例２に対応した処理動作も同様に行うことができる。
【００６５】
ＨＤ内蔵型ＤＶＤレコーダの制御部１は、録画予約の内容に基づき、レコーダ内部の図示しない時計部を監視して現在時刻を監視し、現在時刻が録画予約された番組１の放送開始時刻の少し前（例えば、１分前の午後６時５９分等）になると、ＨＤ内蔵型ＤＶＤレコーダの電源をオンし、番組１の録画準備を行う。そして、番組１の放送開始時刻（午後７時）になると、ハードディスク９に番組１の録画を開始する。
【００６６】
このとき、制御部１は、テレビジョン受信装置３０の電源をオンする情報がメモリ部１ｂに格納されていることを確認すると、電源オンを示す信号（ＣＥＣコマンド）をＨＤＭＩケーブル４０を介してテレビジョン受信装置３０に送信する。テレビジョン受信装置３０は、この電源オンを示す信号（ＣＥＣコマンド）を受信すると、テレビジョン受信装置３０の電源をオンする。
【００６７】
次に、制御部１は、入力を外部入力モードに切り換える信号（ＣＥＣコマンド）をＨＤＭＩケーブル４０を介してテレビジョン受信装置３０に送信する。テレビジョン受信装置３０は、このモード切り換え信号（ＣＥＣコマンド）を受信すると、テレビジョン受信装置３０を外部入力に切り換える。
【００６８】
この後、制御部１は、装填されているＤＶＤ２０の再生を開始し、その再生信号をＨＤＭＩケーブル４０を介してテレビジョン受信装置３０に送信する。テレビジョン受信装置３０は、送信されてきた再生映像を表示部７の画面に表示し、再生音声を図示しないスピーカから出力する。この場合、ＤＶＤ２０には、家族の日常の様子を予め記録しておく。そして、この家族の日常を再生してテレビジョン受信装置３０から出力することで、あたかも住人がそこに居るような臨場感を再現することができる。
【００６９】
さらに、制御部１は、テレビジョン受信装置３０の電源をオンする情報がメモリ部１ｂに格納されていることを確認すると、電源オンを示すリモコン信号をＩＲプラスター５０からリモコン機能付きの照明機器７０に対して送信する。照明機器７０の図示しない制御部は、この電源オン信号を受信すると、照明機器７０の電源をオンして点灯する。これにより、例えばリビングの照明が点灯し、テレビジョン受信装置から家族の日常会話等の音声が出力されることになる。
【００７０】
なお、番組１の録画を終了すると、制御部１は、電源オフを示す信号（ＣＥＣコマンド）をＨＤＭＩケーブル４０を介してテレビジョン受信装置３０に送信する。テレビジョン受信装置３０は、この電源オフを示す信号（ＣＥＣコマンド）を受信すると、テレビジョン受信装置３０の電源をオフする。また、制御部１は、ＤＶＤ２０の再生を停止する。
【００７１】
さらに、制御部１は、電源オフを示すリモコン信号をＩＲプラスター５０からリモコン機能付きの照明機器７０に対して送信する。照明機器７０の図示しない制御部は、この電源オフ信号を受信すると、照明機器７０の電源をオフして消灯する。
【００７２】
ただし、照明機器７０については、そのまま点灯状態を維持するようにしてもよい。また、上記実施例２の場合、番組１１と番組１２との間の時間が短い場合（例えば、１時間以内の場合）には、照明機器７０をそのまま点灯状態として、番組１１の最初から番組１２の最後まで続けて照明機器７０を点灯するようにしてもよい。その方が、実際に住人が在宅している状況により近い状態での制御となる。
【００７３】
本実施例４によれば、録画番組を予約することで、その録画予約された番組の放送開始時刻に照明機器７０の電源をオンし、テレビジョン受信装置３０から家族の日常会話を出力するので、防犯効果をより一層高めることができる。
【００７４】
なお、上記実施形態では、本ＨＤ内蔵型ＤＶＤレコーダとテレビジョン受信装置３０とをＨＤＭＩケーブル４０で接続した構成として説明しているが、本ＨＤ内蔵型ＤＶＤレコーダとテレビジョン受信装置３０との接続、すなわち本ＨＤ内蔵型ＤＶＤレコーダからテレビジョン受信装置３０への制御を、ＩＲブラスター５０による制御とすることが可能である。
【図面の簡単な説明】
【００７５】
【図１】本発明の情報記録再生装置をハードディスク（ＨＤ）内蔵型ＤＶＤレコーダに適用した場合の電気的構成を示す機能ブロック図である。
【図２】実施例１の防犯設定処理動作を説明するための設定画面例を示す説明図である。
【図３】実施例２の防犯設定処理動作を説明するための設定画面例を示す説明図である。
【符号の説明】
【００７６】
１  制御部
１ａ  ＣＰＵ
１ｂ  メモリ部
１ｃ  タイマー部
２  アンテナ
３  チューナ
４  信号処理部
４ａ  ＨＤＭＩ端子
５  ディスク読書部
６  リモコン受信部
７  表示部
８  操作部
９  ハードディスク（ＨＤ）
３０  テレビジョン受信装置
３０ａ  ＨＤＭＩ端子
４０  ＨＤＭＩケーブル
５０  ＩＲブラスター
７０  外部機器（照明機器）
【図１】
2009064083.tif 000003
【図２】
2009064083.tif 000004
【図３】
2009064083.tif 000005